(57)【特許請求の範囲】
【請求項１】
巻取空間において紙管を回転させながらその周面に連続して供給される一続きのウエブを巻き取っていくウエブ巻取機であって、
吸引面が形成されたロール周面に前記ウエブが吸着されて巻き付けられ、前記巻取空間で巻取中の紙管を回転させる第１巻取ロールと、前記巻取中の紙管を支える第２巻取ロールと、前記巻取中の紙管を押える第３巻取ロールとを備えた巻取部と、
順次供給される紙管を一旦待機位置で待機させ、待機中の紙管の周面上部分に、その軸方向に沿って帯状の糊を付ける紙管供給部と、
前記待機位置で待機中の紙管を、前記第１巻取ロールの吸引面上におけるウエブに接触させる接触位置まで移動させる紙管移動部と、
ウエブに接触した紙管を転動させて、前記巻取空間に搬送する紙管搬送部と、
前記第１巻取ロールのロール周面に巻き付けられているウエブを、前記紙管移動部によって紙管が接触する位置よりも上流側において切断するカット部とからなり、
前記紙管移動部が、
待機中の紙管を、前記待機位置から前記第１巻取ロールに向けて移動させ、該第１巻取ロールのロール周面に吸着されているウエブに接触させるコアリフトと、該コアリフトによって移動される紙管を前記第１巻取ロールのロール周面に対し法線方向から近づけるよう案内するためのリフト用ガイドとからなる
ことを特徴とするウエブ巻取機。
【請求項２】
前記紙管搬送部が、
前記接触位置から巻取空間まで、前記第１巻取ロールのロール周面に沿って、紙管が転動しうる転動用ガイドを備えており、
該転動用ガイドの上部長さが、前記紙管の外周長より長い
ことを特徴とする請求項１記載のウエブ巻取機。
【請求項３】
前記紙管搬送部に速度調整装置が設けられており、
該速度調整装置が、第１巻取ロールと第２巻取ロールとの間で前記紙管が通過して巻取空間に送られるときに、前記第２巻取ロールの回転速度を第１巻取ロールの回転速度に対して減速する
ことを特徴とする請求項１または２記載のウエブ巻取機。
【発明の詳細な説明】
【０００１】
【発明の属する技術分野】
本発明は、ウエブ巻取機に関する。さらに詳しくは、トイレットペーパーやキッチンペーパーになるウエブを巻き取って、トイレットロールやキッチンロールを製造するためのウエブ巻取機に関する。
本発明は、紙管を用いてトイレットロールやキッチンロール等のロール製品を製造するウエブ（紙や不織布などの薄物帯状物をいう）の巻取機に関するものである。
【０００２】
【従来の技術】
従来より、例えば特開平７−１１７９０３号記載のウエブ巻取機があり、このウエブ巻取機の側面図を図６に示す。同図に示すように、このウエブ巻取機は典型的な３ドラムクレードルを備えている。
【０００３】
符号Ｗはウエブであり、このウエブＷは図示しない原反ロールから繰り出されて紙管Ｃに巻き付けられ、トイレットペーパやタオルロール等のログＬとなる。紙管Ｃ´は、巻取り前の状態にあるものを示しており、巻取りサイクルの初めに相当する。巻取りサイクルの終わりに、ログＬは、後処理、即ち通常これを小売サイズの幅に切断する処理のために傾斜路110 に沿って排出される。
【０００４】
符号111 は、ウエブＷが一部巻き付けられる第一巻取りドラムである。この第一巻取りドラム111 に対向して、ナイフロール112 が配設されている。ナイフロール112 は、巻取りサイクルの終わりと別の巻取りサイクルの初めに付随してウエブＷを幅方向に切断するための、第１ロール111 と共働するナイフ113 を備えている。ウエブＷがナイフ113 で切断された先端部Ｅは、吸引ボート114 により吸引され接着剤が塗布された紙管Ｃ´に移されるまでの間、第一巻取りドラム111 の周囲に吸着される。
【０００５】
挿入手段115 は、上部に糊が貼付された紙管Ｃを保持した状態で、Ｃ” 位置からＣ´位置まで略弓型の経路内を移動する。そして、紙管Ｃは、静止板116 まで移動する。紙管Ｃが第一巻取ドラム111 の回転面と静止板116 の静止面の両方と係り合うことによって、紙管Ｃは静止板116 上で転動し始めると共に図６の右方向に移動する。紙管Ｃが右方向に移動すると、紙管Ｃはその接着剤塗布面がウエブＷの前端部Ｅの近傍と係り合って巻取りを開始する。最終的に、紙管Ｃは下方の第二巻取りドラム117 と接触する。
【０００６】
【発明が解決しようとする課題】
しかるに、従来のウエブ巻取機には以下の（ｉ）〜（ii）の問題がある。
（ｉ）図７は従来のウエブ巻取機の問題点拡大図である。同図に示すように、第一巻取ドラム111 の接線方向に沿って移動させながら、紙管ＣをウエブＷの前端部Ｅに正確に接触させる場合、接触位置で紙管Ｃの搬送速度を第一巻取ドラム111 のロール周面での回転速度と同じ速度にしなければ、ウエブＷの前端部Ｅに正確に位置決め制御できない。第一巻取ドラム111 の回転速度は速いので、、当該回転速度にまで紙管Ｃの搬送速度を上げるのは、制御が難しく実際には困難である。このため、紙管Ｃの搬送速度が第一巻取ドラム111 の回転速度と同じにならず、紙管ＣとウエブＷの先端部Ｅとの間の距離Ｄにバラツキが生じる。紙管Ｃより先のウエブＷが長く余ったまま、その後のウエブＷを紙管Ｃに巻き取ると、しわが生じて巻き姿が悪くなる。
（ii）紙管Ｃの周面に周回して糊が付けられている場合、第一巻取ドラム111 と第２巻取ドラム117 との間を紙管Ｃが転動しながら通過するときに、第２巻取ドラム117 に、紙管Ｃ上の糊ａｄが転着することがある。これを防止するため、第２巻取ドラム117のロール周面には溝を形成したものがあるが、完全に糊ａｄの転着を防止することができない。
【０００７】
本発明は上記事情に鑑み、糊の付いた紙管をウエブの先端部に正確に移動させ、良い巻姿でウエブを巻き取ることができ、制御が簡単で正確に位置合わせすることができ、糊の転着を完全に防止することができるウエブ巻取機を提供することを目的とする。
【０００８】
【課題を解決するための手段】
請求項１のウエブ巻取機は、巻取空間において紙管を回転させながらその周面に連続して供給される一続きのウエブを巻き取っていくウエブ巻取機であって、吸引面が形成されたロール周面に前記ウエブが吸着されて巻き付けられ、前記巻取空間で巻取中の紙管を回転させる第１巻取ロールと、前記巻取中の紙管を支える第２巻取ロールと、前記巻取中の紙管を押える第３巻取ロールとを備えた巻取部と、順次供給される紙管を一旦待機位置で待機させ、待機中の紙管の周面上部分に、その軸方向に沿って帯状の糊を付ける紙管供給部と、前記待機位置で待機中の紙管を、前記第１巻取ロールの吸引面上におけるウエブに接触させる接触位置まで移動させる紙管移動部と、ウエブに接触した紙管を転動させて、前記巻取空間に搬送する紙管搬送部と、前記第１巻取ロールのロール周面に巻き付けられているウエブを、前記紙管移動部によって紙管が接触する位置よりも上流側において切断するカット部とからなり、前記紙管移動部が、待機中の紙管を、前記待機位置から前記第１巻取ロールに向けて移動させ、該第１巻取ロールのロール周面に吸着されているウエブに接触させるコアリフトと、該コアリフトによって移動される紙管を前記第１巻取ロールのロール周面に対し法線方向から近づけるよう案内するためのリフト用ガイドとからなることを特徴とする。
請求項２のウエブ巻取機は、請求項１記載の発明において、前記紙管搬送部が、前記接触位置から巻取空間まで、前記第１巻取ロールのロール周面に沿って、紙管が転動しうる転動用ガイドを備えており、該転動用ガイドの上部長さが、前記紙管の外周長より長いことを特徴とする。
請求項３のウエブ巻取機は、請求項１または２記載の発明において、前記紙管搬送部に速度調整装置が設けられており、該速度調整装置が、第１巻取ロールと第２巻取ロールとの間で前記紙管が通過して巻取空間に送られるときに、前記第２巻取ロールの回転速度を第１巻取ロールの回転速度に対して減速することを特徴とする。
【０００９】
請求項１の発明によれば、待機中の紙管をコアリフトによって、リフト用ガイドに沿って、第１巻取ロールの回転中心に向けて移動させることにより、紙管を第１巻取ロールのロール周面に吸着されている円弧状のウエブに、その法線方向から近づけて接触させることができる。このため、紙管がウエブに接触してから紙管とウエブとの間の圧力が一定圧になるまでに、紙管が動く距離が短く、紙管が転動する距離がほとんどない。しかも、紙管をウエブに、その法線方向から近づけることができるので、紙管の供給速度は遅くてもよい。したがって、紙管が供給される前に切断されたウエブの先端位置に合わせて紙管をタイミング良く供給する制御が簡単であり、位置決め精度を非常に高くすることができる。よって、良い巻姿で紙管にウエブをログとして巻き取ることができる。
請求項２の発明によれば、第１巻取ロールのロール周面に吸着されたウエブに接触位置で接触した紙管が、巻取空間に送られる間に、紙管の周面にはウエブが１回転以上巻き付けられ、紙管の糊が露出していないので、紙管が第２巻取ロールに直接接触することを防止できる。よって、紙管の糊が第２巻取ロールに転着するのを完全に防止することができる。
請求項３の発明によれば、第１巻取ロールと第２巻取ロールとの間を紙管が通過するときに、第２巻取ロールの回転速度を第１巻取ロールの回転速度に対して減速することにより、紙管を巻取空間にスムーズに搬送することができる。
【００１０】
【発明の実施の形態】
つぎに、本発明の実施形態を図面に基づき説明する。
図１は本実施形態のウエブ巻取機の概略側面図である。同図に示すように、本実施形態のウエブ巻取機は、巻取部１を備えており、連続して供給されるウエブＷを巻取空間Ｓに供給しながら、順次供給される紙管Ｃを前記巻取空間Ｓに順次供給し、この巻取空間Ｓにおいて紙管Ｃを回転させながらその周面にウエブＷをログＬとして巻き取っていく機械である。
本明細書においてウエブＷとは、トイレットペーパーやタオルペーパー、ティッシュペーパー、キッチンペーパー等、種々の薄い素材のシートをいう。
紙管Ｃとしては、トイレットペーパー等のウエブＷの芯として使用できる円筒形のものであれば、紙製でも合成樹脂製でもよい。
【００１１】
本実施形態のウエブ巻取機は、巻取部１、紙管供給部４０、紙管リフト部５０、紙管搬送部６０およびカット部７０から構成されたものである。
【００１２】
まず、巻取部１を説明する。
巻取部１は、第１巻取ロール１０、第２巻取ロール２０および第３巻取ロール３０を備えており、これら３つの巻取ロール１０,２０,３０で囲まれた空間が巻取空間Ｓとなっている。
【００１３】
まず、第１巻取ロール１０を説明する。
第１巻取ロール１０において、円筒状のロール１１が水平な回転軸廻りに回転自在に設けられており、このロール１１のロール表面全面には、多数の吸引孔11h が形成されている。ロール１１の内側には、吸引ダクト１２が設けられている。吸引ダクト１２とロール１１の内壁面で囲まれた空間は、図示しない吸引ポンプにより減圧されており、ロール１１の外側に比べて負圧になっている。このため、ロール１１のロール周面のうち、その内側が負圧となる部分の吸引孔11h は外側の空気が吸い込まれて吸着面となっている。
ロール１１の吸着面には、図示しない原反ロールから繰り出され、連続して供給されるウエブＷが巻き掛けられており、この吸着面にはウエブＷが吸着され、ロール１１の回転に合わせて巻取空間Ｓに送られる。
【００１４】
つぎに、第２巻取ロール２０を説明する。
前記第１巻取ロール１０の斜め下方には、第２巻取ロール２０が回転自在に設けられている。この第２巻取ロール２０は、第１巻取ロール１０との間に紙管Ｃが通過して巻取空間Ｓに移動できるように、紙管Ｃの直径よりも少し広い間隔をもって配設されている。この第２巻取ロール２０によって、巻取中の紙管Ｃを支えながら、紙管Ｃを回転させることができる。
【００１５】
この第２巻取ロール２０の回転速度は、紙管搬送部６０内に設けられた図示しない速度調整装置によって、第１巻取ロール１０とは独立に制御されているが、その詳細は後述する。
【００１６】
つぎに、第３巻取ロール３０を説明する。
前記第１巻取ロール１０の側方であって第２巻取ロール２０の上方には、第３巻取ロール３０が回転自在に設けられている。この第３巻取ロール３０は、図示しない移動手段、例えばカムによって第１巻取ロール１０および第２巻取ロール２０に接近、離間自在に設けられている。この第３巻取ロール３０によって、巻取中の紙管Ｃを押えることができる。
この第３巻取ロール３０の回転速度は、図示しない速度調整装置によって、第１巻取ロール１０および第２巻取ロール２０とは独立に制御されている。第３巻取ロール３０は、ログＬに加える押圧が一定になるように、ログＬの径が大きくなるにつれ、第１巻取ロール１０や第２巻取ロール２０から徐々に離れるように制御される。
【００１７】
前記第１巻取ロール１０、第２巻取ロール２０および第３巻取ロール３０で囲まれた空間が、ウエブＷを紙管Ｃに巻き取るための巻取空間Ｓとなっている。この巻取空間Ｓで、第１巻取ロール１０によってウエブＷを供給しながら巻取中の紙管Ｃを回転させ、第２巻取ロール２０によって紙管Ｃを支えながら、第３巻取ロール３０によって紙管Ｃを抑さえて、この紙管ＣにウエブＷをログＬとして巻き取らせることができるのである。
【００１８】
つぎに、カット部７０を説明する。
前記第１巻取ロール１０のロール１１におけるロール周面に近接して、カッターロール７１が水平な回転軸廻りに回転自在に設けられている。このカッターロール７１のロール周面には、その幅方向に延びた刃７２が取り付けられている。
カッターロール７１を回転させて、その刃７２が第１巻取ロール１０のロール周面に重なり合うことによって、ウエブＷを切断させることができる。カッターロール７１は、ウエブＷが所定長さ繰り出されると、もしくは所定時間経過後、回転するようにタイミング制御されており、ウエブＷを所定長さでカットすることができる。
なお、カッターロール７１における刃７２の数は、任意であり、その数に応じてカッターロール７１の回転角度やタイミングを調整すればよい。
【００１９】
図２は本実施形態のウエブ巻取機の動作説明図である。図２に示すように、所定長さのウエブＷが紙管Ｃ０に巻き取られる直前には、カット部７０のカッターロール７１が回転し、カッターロール７１の刃７２とロール１１のロール周面との間にウエブＷが挟まれてカットされる。カットされた部分よりも前方のウエブＷ０も後方のウエブＷも、ロール１１のロール周面（吸着面）に吸着されたまま、ロール１１の回転とともに接触位置Ｘに送られていくのである。
【００２０】
つぎに、紙管供給部４０を説明する。
前記カット部７０の下方には、コア導入部４２が設けられている。このコア導入部４２は、図示しない紙管供給装置によって順次供給される紙管Ｃを待機部４３に案内するためのレールである。
このコア導入部４２の下端には、凹状の待機部４３が形成されており、この待機部４３によって紙管Ｃを一旦待機させておくことができる。待機部４３で紙管Ｃが待機している位置を、待機位置Ｔで示している。
【００２１】
図示しないが、待機部４３の近傍には、糊付装置が設けられている。この糊付装置によって、待機部４３で待機中の紙管Ｃに糊ａｄを付けることができる。図５（Ｉ）、（II）に示すように、糊ａｄは、待機中の紙管Ｃの周面上部にその軸方向に沿って帯状に付けられる。糊ａｄとしては、例えば主成分が水溶性高分子や変性澱粉等の糊が好適である。
【００２２】
この紙管供給部４０によれば、順次供給される紙管Ｃを一旦待機位置Ｔで待機させ、図示しない糊付装置により、待機中の紙管Ｃの周面上部にその軸方向に沿って帯状の糊ａｄをつけることができる。
【００２３】
つぎに、紙管移動部５０を説明する。
図３は要部拡大図である。図１〜図３に示すように、前記紙管供給部４０の待機部４３に連続して、リフト用ガイド５１が形成されている。このリフト用ガイド５１の詳細については後述する。
【００２４】
前記待機部４３の近傍には、例えばカム等の揺動手段によって、コアリフト５２が上下揺動するように設けられており、その先端には、紙管Ｃを支持するための紙管支持部５３が取り付けられている。
この紙管移動部５０によれば、コアリフト５２を上方に移動させることにより、待機部４３の待機位置Ｔで待機中の紙管Ｃを、リフト用ガイド５１に沿ってリフトさせ、ロール１１の吸着面上におけるウエブＷに接触させる接触位置Ｘまで移動させることができる。
【００２５】
前記リフト用ガイド５１は、紙管移動部５０において、前記待機部４３で待機中の紙管Ｃの中心から第１巻取ロール１０の回転中心に向けて延びた線に対して平行になるように設けられている。
【００２６】
このため、待機中の紙管Ｃを待機位置Ｔからリフト用ガイド５１に沿って、第１巻取ロール１０の回転中心に向けて移動させることにより、紙管Ｃを第１巻取ロール１０のロール周面に吸着されている円弧状のウエブＷに、その法線方向から近づけて接触させることができる。
このため、紙管ＣがウエブＷに接触してから紙管ＣとウエブＷとの間の圧力が一定圧になるまでに動く距離が短く、紙管Ｃが転動する距離がほとんどない。しかも、紙管ＣをウエブＷに、その法線方向から近づけることができるので、紙管Ｃの供給速度は遅くてもよい。したがって、ウエブＷの先端位置に合わせて紙管Ｃをタイミング良く供給する制御が簡単であり、位置決め精度を非常に高くすることができる。よって、良い巻姿で紙管ＣにウエブＷをログＬとして巻き取ることができる。
【００２７】
つぎに、紙管搬送部６０を説明する。
図４は図２に続く、本実施形態のウエブ巻取機の動作説明図である。同図に示すように、前記リフト用ガイド５１に連続して、滑らかな凹状で円弧状の転動用ガイド６１が形成されている。この転動用ガイド６１の先端は、第２巻取ロール２０の周面上部にまで延びている。そして、転動用ガイド６１の上部長さは、前記紙管Ｃの外周長より長く形成されている。
転動用ガイド６１では、その上面と第１巻取ロール１０のロール１１との間に紙管Ｃが挟まれて、第１巻取ロール１０の回転とともに紙管Ｃが転動用ガイド６１の上面を前方へ転動しながら第２巻取ロール２０の上面へと移動し、紙管Ｃの周面にウエブＷが巻き付けられる。このため、紙管Ｃが接触位置Ｘから第２巻取りロール２０に移動する間に、紙管Ｃの周面にはウエブＷが１回以上巻き付けられ、紙管Ｃの糊ａｄが露出するのを防止できる。よって、紙管Ｃ上の糊ａｄが第２巻取ロール２０に転着することを完全に防止できる。
【００２８】
このため、ウエブＷに接触した紙管Ｃは、第１巻取ロール１０のロール１１のロール周面と転動用ガイド６１の上面との間に挟まれ、第１巻取ロール１０の回転に応じて転動しながら第２巻取ロール２０の周面上部に搬送される。
【００２９】
この紙管搬送部６０には、図示しない速度調整装置が設けられている。この速度調整装置は、紙管Ｃが第２巻取ロール２０の周面上部を転動しながら、第１巻取ロール１０と第２巻取ロール２０との間を通過して、巻取空間Ｓに送られるときに、第２巻取ロール２０の回転速度を第１巻取ロール１０の回転速度に対して減速する装置である。
【００３０】
この、速度調整装置により、第２巻取ロール２０の回転速度を第１巻取ロール１０の回転速度に対して減速することができるので、紙管Ｃは第２巻取ロール２０の周面上部を超えて巻取空間Ｓへとスムーズに搬送されるのである。
この紙管搬送部６０によれば、ウエブＷに接触した紙管Ｃを転動させて、紙管Ｃの周面にウエブＷを巻き取らせながら、巻取空間Ｓに搬送させることができる。
【００３１】
上記のごとく、図示しない紙管供給装置によって順次供給される紙管Ｃを、紙管供給部４０によって一旦待機位置Ｔで待機させ、図示しない糊付装置により、待機中の紙管Ｃの周面上部にその軸方向に沿って帯状の糊ａｄをつけることができる。そして、紙管移動部５０によって、待機部４３の待機位置Ｔで待機中の紙管Ｃを、リフト用ガイド５１に沿ってリフトさせ、ロール１１の吸着面上におけるウエブＷに接触させる接触位置Ｘまで移動させることができる。そして、紙管搬送部６０によって、接触位置Ｘの紙管Ｃを転動用ガイド６１上で移動させながら、第２巻取ロール２０の周面上部を越えて、巻取空間Ｓに搬送することができる。巻取空間Ｓでは巻取部１によって、紙管Ｃの周面にウエブＷがログＬとして巻き取ることができるのである。
【００３２】
つぎに、本実施形態のウエブ巻取機の作用・効果を説明する。
本実施形態のウエブ巻取機によれば、以下の（１）〜（３）の作用効果を奏する。
（１）前記紙管移動部５０において、リフト用ガイド５１は、前記待機部４３で待機中の紙管Ｃの中心から第１巻取ロール１０の回転中心に向けて延びた線に対して平行になるように設けられている。
このため、待機中の紙管Ｃを待機位置Ｔからリフト用ガイド５１に沿って、第１巻取ロール１０の回転中心に向けて移動させることにより、紙管Ｃを第１巻取ロール１０のロール周面に吸着されている円弧状のウエブＷに、その法線方向から近づけて接触させることができる。
このため、紙管ＣがウエブＷに接触してから紙管ＣとウエブＷとの間の圧力が一定圧になるまでに動く距離が短く、紙管Ｃが転動する距離がほとんどない。しかも、紙管ＣをウエブＷに、その法線方向から近づけることができるので、紙管Ｃの供給速度は遅くてもよい。したがって、ウエブＷの先端位置に合わせて紙管Ｃをタイミング良く供給する制御が簡単であり、位置決め精度を非常に高くすることができる。よって、良い巻姿で紙管ＣにウエブＷをログＬとして巻き取ることができるという効果を奏する。
【００３３】
（２）転動用ガイド６１の上面の長さは紙管Ｃの周長より長いので、紙管Ｃが第２巻取ロール２０の上面に移動したときには、紙管Ｃの周面にはウエブＷが１回転以上巻き付けられており、紙管Ｃの糊ａｄが露出していない。
したがって、第１巻取ロール１０のロール周面に吸着されたウエブＷに接触位置Ｘで接触した紙管Ｃが、巻取空間Ｓに送られる間に、紙管Ｃの周面にはウエブＷが１回転以上巻き付けられ、紙管Ｃの糊ａｄが露出していないので、紙管Ｃが第２巻取ロール２０に直接接触することを防止できる。よって、紙管Ｃ上の糊ａｄが第２巻取ロール２０に転着することを完全に防止できる。
【００３４】
（３）第１巻取ロール１０と第２巻取ロール２０との間を紙管Ｃが通過するときに、速度調整装置によって、第２巻取ロール２０の回転速度を第１巻取ロール１０の回転速度に対して減速することにより、紙管Ｃを巻取空間Ｓにスムーズに搬送することができるという効果を奏する。
【００３５】
上記のごとく、本実施形態のウエブ巻取機によれば、糊adの付いた紙管ＣをウエブＷの先端に正確に移動させ、良い巻姿でウエブＷを巻き取ることができ、制御が簡単で正確に位置合わせすることができ、糊ａｄの転着を完全に防止することができるという効果を奏する。
【００３６】
【発明の効果】
請求項１の発明によれば、紙管とウエブとの間の圧力が一定圧になるまでに動く距離がほとんどない。しかも、紙管をウエブに、その法線方向から供給させることができるので、紙管の供給速度は遅くてもよい。このため、ウエブの先端位置に合わせて紙管をタイミング良く供給する制御が簡単であり、位置決め精度を非常に高くすることができる。よって、良い巻姿でウエブを巻き取ることができる。
請求項２の発明によれば、紙管の糊が第２巻取ロールに転着するのを完全に防止することができる。
請求項３の発明によれば、紙管を巻取空間にスムーズに搬送することができる。
【図面の簡単な説明】
【図１】    本実施形態のウエブ巻取機の概略側面図である。
【図２】    本実施形態のウエブ巻取機の動作説明図である。
【図３】    要部拡大図である。
【図４】    図２に続く、本実施形態のウエブ巻取機の動作説明図である。
【図５】    糊ａｄが塗布された紙管Ｃの斜視図である。
【図６】    従来のウエブ巻取機の説明図である。
【図７】    従来のウエブ巻取機の問題点拡大図である。
【符号の説明】
１          巻取部
１０        第１巻取ロール
２０        第２巻取ロール
３０        第３巻取ロール
４０        紙管供給部
４３        待機部
５０        紙管移動部
５１        リフト用ガイド
６０        紙管搬送部
６１        転動用ガイド
７０        カット部
ａｄ        糊
Ｃ          紙管
Ｌ          ログ
Ｗ          ウエブ
Ｔ          待機位置
Ｘ          接触位置
【図１】
0003872994.tif 000002
【図２】
0003872994.tif 000003
【図３】
0003872994.tif 000004
【図４】
0003872994.tif 000005
【図５】
0003872994.tif 000006
【図６】
0003872994.tif 000007
【図７】
0003872994.tif 000008